(57)【要約】      （修正有）【課題】冷凍室の扉を全開にすることなく部分的扉の開放で必要なものを取り出すことが出来る冷蔵庫を提供する。【解決手段】冷凍室の前面に開閉可能に設けた扉とを備えた冷蔵庫において、前記冷凍室内には、前後方向にスライド可能な収納容器と前記収納容器を支持するスライド可能な収納容器受を設け、前記収納容器受は前面底部に後記係合凸部が下方から着脱自在に差し込まれる係合凹部を備え、主扉の一部に設けられた補助開口部を閉鎖する補助扉とを備え、前記補助扉は、水平方向に回動して前記補助扉開口部を開閉するように側端部に支持部を設け、補助扉後方下面には前記収納容器受の係合凹部と係合する扉側係合部材を設け、前記係合部材の後端部には上方に突出する凸部を設けると共に、前記係合部材の支持部には、前記係合部材凸部が前記補助扉の開閉に伴い上下に回転するように弾性部材を備えるようにした。【選択図】図１
2005164177.tif 000002
【特許請求の範囲】
【請求項１】
貯蔵室の前面に開閉可能に設けた回転式の扉を備えた冷蔵庫であって、
前記扉の一部に補助開口部を有し、この補助開口部を閉塞する補助扉と、
前記貯蔵室内に配置され前後方向にスライド可能な収納容器と、
この収納容器を支持して前後方向にスライド可能な収納容器受と、
この収納容器受の前面底部に形成される係合凹部と、
前記補助扉の裏面下部に備えられ、前記収納容器受の前面底部へと延伸し、前記係合凹部と係合する凸部を備える扉側係合部材と、
前記補助扉の開時にこの扉側係合部材の凸部が前記係合凹部と係合するように、前記扉側係合部材を前記係合凹部側へ付勢する弾性部材と、
前記補助扉の閉時に前記扉側係合部材の凸部と前記係合凹部との係合を解除する係合解除手段を備えた冷蔵庫。
【請求項２】
前記補助扉の配置位置を、前記主扉の支持部側に近接させ、かつ、前記主扉の最下部に位置させたことを特徴とする請求項１記載の冷蔵庫。
【請求項３】
前記収納容器受に、前記収納容器がスライドする際の案内となるリブを設けると共に、前記収納容器の前方方向に走行する際の動きを止めるストッパーを設けると共に、前記収納容器受下面には、収納容器受自身の走行を補助するための滑車を備えたことを特徴とする請求項１記載の冷蔵庫。
【請求項４】
前記主扉の一部に設けられた補助扉開口部の断熱材側外周面に、前記補助扉側に設けられた磁石付ガスケットと当接する為の、磁性部材を設けたことを特徴とする請求項１記載の冷蔵庫。
【請求項５】
前記主扉の支持部側下面に前記補助扉を支持する支持部を設けると共に、前記補助扉支持部側の下面に前記支持部との当接により扉を保持させるクローザーを備えたことを特徴とする請求項１記載の冷蔵庫。
【請求項６】
前記補助扉の配置を、前記主扉の支持部側に近接させ、かつ、前記主扉の最下部に位置させ、更に、補助扉の支持部側を主扉の把手側に位置させたことを特徴とする請求項1記載の冷蔵庫。
【請求項７】
最上段を冷凍室からなる多数段の貯蔵室を有する冷蔵庫本体と、前記貯蔵室の前面に開閉可能に設けた扉とを備えた冷蔵庫において、
前記冷凍室内には、前後方向にスライド可能な収納容器と前記収納容器を支持するスライド可能な収納容器受と、この収納容器受の前面底部に備えられる係合凹部とが備えられ、
前記冷凍室の前面に設けられた扉は、前記冷凍室前面開口部全てを閉塞する主扉と、前記主扉の最下部の一部に設けられた補助開口部を閉塞する補助扉とを備え、
前記主扉は水平方向に回動して前記冷凍室を閉塞するように側端部に備えられる支持部と、前記補助扉が配置される開口部とが設けられ、
前記補助扉の裏面の下面に備えられ前記収納容器受の係合凹部と係合する扉側係合部材と、前記係合部材の後端部に備えられ上方に突出する凸部とが設けられ、
前記扉側係合部材は、前記係合凹部と前記扉側係合部材の凸部とを係合させ、又はその係合を解除させる方向に回転可能に形成され、
この回転軸には前記扉側係合部材の凸部が前記補助扉の開閉に伴い、前記方向に回転するように弾性部材が備えられ、
前記開口部の下部には、前記補助扉側係合部材の前端部を支持する突起部が設けられ、前記補助扉は、水平方向に回動して前記補助扉開口部を開閉するように側端部に支持部を有し、
前記補助扉の開閉動作に伴って前記凸部と前記係合凹部とが係合して前記収納容器と収納容器受が前後にスライドし、主扉開閉の際は、前記係合凸部と係合凹部との係合が解除され、前記収納容器と収納容器受をスライドさせないことを特徴とする冷蔵庫。
【発明の詳細な説明】
【技術分野】
【０００１】
本発明は冷蔵庫に関する。
【背景技術】
【０００２】
最上段を冷凍室とする多数段の貯蔵室を有する冷蔵庫では、冷凍室前面を回転式の扉で閉塞するものが知られており、この冷凍室に製氷皿が配置されたものとしては、例えば、特許文献１乃至３に記載のものがある。
【０００３】
このような構成の冷蔵庫について図９を用いて説明する。図９は、最上段を冷凍室として多数段の貯蔵室を有する従来の冷蔵庫を示すものである。冷蔵庫１は、多数段の貯蔵室を備えてなり、最上段に冷凍室２を、下段に冷蔵室８、９を有する。冷凍室２は回転式の扉３でその前面が閉塞され、冷凍室２内には屋根つきの部材５で上面及び側面が囲まれる製氷空間内に製氷皿４が配される。また、氷をストックするために別の収納容器６を備えるものもある。
【０００４】
これらの製氷皿４、屋根つきの部材５及び収納容器６の奥行方向の長さは、扉３が閉じられたときに、扉３の内側部７と干渉することを防ぐために、冷凍室２内の奥行方向より小さな寸法で形成される。
【０００５】
【特許文献１】特開平４−２０７７２号公報（図１）
【０００６】
【特許文献２】特開平５−３４０５８号公報（図１）
【特許文献３】特開平５−２５６５６４号公報（図１）
【発明の開示】
【発明が解決しようとする課題】
【０００７】
上記の従来技術のような、回転式扉によって閉塞された貯蔵室内に引き出し式の収納容器（製氷皿）を配置するという構成の場合には、以下のような点で問題があった。
【０００８】
すなわち、この種の冷凍室においては、扉の支持部側の収納物（製氷皿）を取り出す際には、扉を全開に開かないと冷凍室内の収納物（製氷皿）を取り出すことは容易ではなかった。更に、扉を全開で引出すことで庫内の冷気が庫外への流出する量が多く、効率の悪くなり、省エネという観点からも問題があった。
【０００９】
扉の支持部側の収納物を取り出す際に、扉を全開に開かないと冷凍室内の収納物（製氷皿）を容易に取り出すことは出来なかった。また、扉を全開に開くことにより、冷凍室内の冷気の流出が必要以上の量であった。換言すると、収納物の位置が、扉の支持部の位置に関わらず、何処の収納物の位置でも、流出される冷気量は殆ど同じであった。
【００１０】
また、この収納容器は、内容積を出来るだけ多く確保することが望まれるため、冷凍室内の奥行方向より僅か小さな寸法で形成されていることから、収納容器は前後方向にはスライドするものの、スライドする距離が長く、収納容器の奥側にある収納物は、一旦、収納容器を取り出すか、手を奥まで伸ばして取り出すなどの余分な動作をユーザーに強いることがある等、収納物を手早く取り出すことへの配慮にかけていた。
【００１１】
本発明は、上記のような問題点に艦みてなされたものであり、省エネに配慮し、収納物を手早く取り出すことが可能な冷蔵庫を提供することを目的とするものである。
【課題を解決するための手段】
【００１２】
上記問題を解決するために、本発明は以下のような特徴を有するものとした。
【００１３】
第一に、貯蔵室の前面に開閉可能に設けた回転式の扉を備えた冷蔵庫であって、
前記扉の一部に補助開口部を有し、この補助開口部を閉塞する補助扉と、前記貯蔵室内に配置され前後方向にスライド可能な収納容器と、この収納容器を支持して前後方向にスライド可能な収納容器受と、この収納容器受の前面底部に形成される係合凹部と、
前記補助扉の裏面下部に備えられ、前記収納容器受の前面底部へと延伸し、前記係合凹部と係合する凸部を備える扉側係合部材と、
前記補助扉の開時にこの扉側係合部材の凸部が前記係合凹部と係合するように、前記扉側係合部材を前記係合凹部側へ付勢する弾性部材と、
前記補助扉の閉時に前記扉側係合部材の凸部と前記係合凹部との係合を解除する係合解除手段とを備えた。
【００１４】
第二に、前記補助扉の配置位置を、前記主扉の支持部側に近接させ、かつ、前記主扉の最下部に位置させるようにした。
【００１５】
第三に、前記収納容器受に、前記収納容器がスライドする際の案内となるリブを設けると共に、前記収納容器が、前方方向に走行する際の動きを止めるストッパーを設けると共に、前記収納容器受け自身の走行を補助するための滑車を備えるようにした。
【００１６】
第四に、前記主扉の一部に設けられた補助扉開口部の断熱材側外周面に、前記補助扉側に設けられた磁石付ガスケットと当接する為の、磁性部材を備えるようにした。
【００１７】
第五に、前記主扉の支持部側下面に前記補助扉を支持する支持部を設けると共に、前記補助扉支持部側下面に前記支持部との当接により扉を保持させるクローザーを備えるようにした。
【００１８】
第六に、前記補助扉の配置を前記主扉の支持部側に近接させ、かつ、前記主扉の最下部に位置させ、更に補助扉の支持部側を主扉のハンドル側に位置させるようにして、主扉の回転モーメントを小さくするようにした。
【００１９】
第七に、最上段を冷凍室からなる多数段の貯蔵室を有する冷蔵庫本体と、前記貯蔵室の前面に開閉可能に設けた扉とを備えた冷蔵庫において、
前記冷凍室内には、前後方向にスライド可能な収納容器と前記収納容器を支持するスライド可能な収納容器受と、この収納容器受の前面底部に備えられる係合凹部とが備えられ、
前記冷凍室の前面に設けられた扉は、前記冷凍室前面開口部全てを閉塞する主扉と、前記主扉の最下部の一部に設けられた補助開口部を閉塞する補助扉とを備え、
前記主扉は水平方向に回動して前記冷凍室を閉塞するように側端部に備えられる支持部と、前記補助扉が配置される開口部とが設けられ、
前記補助扉の裏面の下面に備えられ前記収納容器受の係合凹部と係合する扉側係合部材と、前記係合部材の後端部に備えられ上方に突出する凸部とが設けられ、
前記扉側係合部材は、前記係合凹部と前記扉側係合部材の凸部とを係合させ、又はその係合を解除させる方向に回転可能に形成され、
この回転軸には前記扉側係合部材の凸部が前記補助扉の開閉に伴い、前記方向に回転するように弾性部材が備えられ、
前記開口部の下部には、前記補助扉側係合部材の前端部を支持する突起部が設けられ、前記補助扉は、水平方向に回動して前記補助扉開口部を開閉するように側端部に支持部を有し、
前記補助扉の開閉動作に伴って前記凸部と前記係合凹部とが係合して前記収納容器と収納容器受が前後にスライドし、主扉開閉の際は、前記係合凸部と係合凹部との係合が解除され、前記収納容器と収納容器受をスライドさせないことを特徴とするものとした。
【発明の効果】
【００２０】
本発明によれば、省エネに配慮し、収納物を手早く取り出すことが可能な冷蔵庫を提供することができる。
【発明を実施するための最良の形態】
【００２１】
以下、本発明の実施形態について図面を参照して説明する。
【００２２】
図１は本発明の一実施形態に係る冷蔵庫正面図である。この冷蔵庫は図１に示すように上段に冷凍室１０、下段に冷蔵室１１を配設させている。冷凍室扉１２は、冷凍室１０前面開口部を開閉するように設けられ、冷蔵庫の左右の少なくともいずれかの側端部（この実施例では右側端部）に設けられた支持部１３により支持され、水平方向に回動可能な回転式の扉である。
【００２３】
また、冷凍室扉１２は冷凍室１０前面全体を開閉する主扉１４と、この主扉１４の一部に設けた補助開口部１５を開閉する補助扉１６とを有している。
【００２４】
主扉は、水平方向に回動して冷凍室１０を開閉するように側端部を支持する支持部１３と、主扉１４の支持部側最下部に、補助扉開口を形成した補助開口部１５と、支持部１３の反対側に設けられた主扉取手部１７を有している。
【００２５】
補助扉１６は、主扉１４の補助開口部１５を開閉するように水平方向に回動可能に支持し、且つ、主扉１４の支持部１３と同じ側の側端部を支持する支持部１８と、支持部１８と反対側の下部に設けられた補助扉取手部１９を有している。
【００２６】
このように、補助扉１６は主扉１４の支持部側で、しかも最下部に位置しているが、補助扉１６の配置は必要に応じ、どこの場所に配置しても本発明は有効である。
【００２７】
しかし、ユーザーの使い勝手を考慮すると、前記の如く、主扉１４の支持部側で、しかも最下部に配置している方が、通常取り出し難い扉の支持部側の収納物の取り出しに有効であり、最上段に配設している冷凍室であるが故、極力低い位置に補助扉開口部１５を設けた方が、使い勝手が良くなるのである。
【００２８】
次に冷凍室１０の構造について、図２を参照にして説明する。  
１０は冷凍室で、背面側には蒸発器２０や蒸発器ファン２１を有する冷却室２２が配置され、前面側には冷凍室１０の前面開口部を閉塞する主扉１４と補助扉１６を有する冷凍室扉１２を配置している。蒸発器２０は、図示にはないが、圧縮機、凝縮器、減圧装置などと共に冷凍サイクルを構成しており、この蒸発器２０で冷媒が蒸発した際に周囲の空気温度が下がり冷却空気となり蒸発器ファン２１の駆動に伴い冷凍室１０や冷蔵室１１に供給される。
【００２９】
２３は自動製氷機であり、その内部に製氷皿２３ａと、製氷皿２３ａを動作させる機械部２３ｂと製氷された氷を貯める貯氷容器２４と、貯氷容器２４を支持すると共に前方に引出し可能とする貯氷容器受２５を備えている。
【００３０】
補助扉１６には、扉背面から後方に突出して貯氷容器受２５の底部前端凹部２５ａと係合する合成樹脂製の扉側係合部材２６が取付けられている。
【００３１】
この扉側係合部材２６は、扉背面を形成する薄肉樹脂性の扉内側材２７に、ネジ等により取付けられた係合部材固定具２８に設けられた丸穴２８ａに係止され、その取付位置は、扉回転軸寄りの扉背面下端部設定されている。扉側係合部材２６は、棒状の後方延設部２６ａと、後方延設部の先端に設けられた上方に突出する水平断面形の係合ピン２６ｂよりなる。更に、係合部材２６と係合部材固定具２８との係止する箇所を回転軸とした弾性部材２９を内部に有している。
【００３２】
貯氷容器２４は、上方に開口する水平断面が概略矩形をなす有底箱状の容器である。
２５は貯氷容器を支持する貯氷容器受であり、自動製氷機２３外壁に設けられた支持部３０によりその底面が支えられている。また、貯氷容器受け２５前面下部には、扉側系合部材２６の係合ピン２６ｂと係合する係合凹部２５ａを有している。
【００３３】
次に、扉側係合部材２６の係合ピン２６ｂと収納容器受け２５の係合凹部２５ａとの関係について、図３と図４を参照して説明する。
図３は補助扉１６を開けた直後の係合部材２６周辺の断面詳細図で、図４は補助扉１６を閉めた時の係合部材２６周辺の断面詳細図である。
【００３４】
２８は係合部材の固定具で補助扉１６の扉内側材２７の凹部２７ａにネジ等で固定されており、特に上下方向に可変出来るように、図示にはないが、固定具２８のネジ締め用穴は長穴になっている。これは、各々の係合部材が、冷蔵庫本体側と扉側と別れている為に出来てしまう製作上のバラツキを許容することを目的としている。
【００３５】
２９は、係合部材２６と係合部材固定具２８とを係止する回転軸に設けられた弾性部材であり、その一端は、係合部材固定具２８の傾斜面に位置させ、もう一端は係合部材２６の棒状の後方延設部２６ａの内側に位置されている。この弾性部材２９は、負荷のない状態における角度が９０度程度となるように形成されており、係合ピン２６ｂが貯氷容器受２５側に付勢されるように備えられている。すなわち、補助扉１６の開動作時は、図３に示す通り、貯氷容器２４と貯氷容器受け２５、及び、貯氷された氷の自重により、係合ピン２６ｂと貯氷容器受け前端係合凹部２５ａが、丁度、係合されるような角度に設定されている。
【００３６】
一方、補助扉１６が閉まった時は、係合解除手段を備えることによって係合を解除して主扉１４のみを開けるときに貯氷容器２４が引き出されることを防ぐことができる。図４に示す通り、主扉の開口下部１５ａに補助扉１６側に向けて延出した突起部１５ｂに、補助扉１６側の係合部材２６の前端部２６ｃが乗り上げることで、係合ピン２６ｂが下方に移動し、貯氷容器受２５の前端係合凹部２５ａよりも、下側に位置することで、係合ピン２６ｂと貯氷容器受２５の前端係合凹部２５ａとの係合を解除することができる。
【００３７】
この一連の動作が成り立つことによって、主扉１４を開ける時は、貯氷容器受２５は通常の位置である製氷室２３下部に位置することになり、また、補助扉１６を開ける際は、貯氷容器受２５と貯氷容器２４が補助扉１６の回動に伴い、前方に引き出せることが可能になるのである。
【００３８】
２６ｄは係合部材２６の一段低い位置にある段差部である。この段差部２６ｄは特に無くても前述の一連の動作に支障はないが、段差部２６ｄがあることにより、特に補助扉１６を閉めた際に発生する、係合ピン２６ｂと貯氷容器受凹部２５ａとが解除されるＡ寸法が、より多く確保できることで、前述の固定具２８の長穴と同様に、製作上のバラツキを許容することを可能にするものである。
【００３９】
次に、補助扉１６の開閉時の貯氷容器受２５の動作について図５を参照して説明する。
図５に示すように、開扉動作と共に引出された貯氷容器受２５と貯氷容器２４は、製氷室２３外壁に設けた支持部３０前端のストッパー３０ａに係止されることにより、更なる前方への引出しが規制される。その為、この係止された状態が補助扉１６の最大開き時となる。補助扉１６の最大開き角度は通常９０度より大きく、この実施形態では１０５度に設定されている。
【００４０】
補助扉１６を閉めている際は、補助扉１６側の係合部材２６の係合ピン２６ｂが、貯氷容器受前端の係合凹部２５ａ内を左側にスライドしながら、貯氷容器受２５と貯氷容器２４を背面側に押し込むことになる。その閉めていく過程で、貯氷容器受２５が扉内側材２７や主扉側の開口部１５に当ってロックせず、スムーズに動作することが前提となるが、ここでは、係合ピン２６ｂと貯氷容器受２５の係合凹部２５ａ間に多少の隙間を設けて適度な遊び代（５ｍｍ程度）Ｂ寸法を設けると共に、貯氷容器受２５の前端角部２５ｄの扉側を丸める等の配慮をしている。
【００４１】
更に、貯氷容器受２５には、自身の走行がスムーズとなるように滑車を設けるとともに、主扉側の開口部１５にも、貯氷容器受２５の走行を補助するための滑車１５ｃを設け、更に、この滑車１５ｃと貯氷容器受２５間に適度な隙間（５ｍｍ程度）Ｃ寸法を確保している。
【００４２】
２５ｂは、貯氷容器受２５に設けた案内リブであり、貯氷容器２４の前後方向の案内を目的としている。また、２５ｃは、貯氷容器受２５に設けたストッパーであり、補助扉１６の開動作で一度引き出された貯氷容器２４を、更に、前方に引出す際の貯氷容器２４の脱落防止を目的としている。この様な配慮をすることにより、通常取り出し難い貯氷容器２４の奥側の氷も、補助扉１６の開閉だけで、安全で、かつ、容易に取り出すことが出来るのである。
【００４３】
次に、図６について説明する。図６は補助扉側のガスケット周辺の詳細図である。この発明は特に冷凍室に係るものである。即ち、主扉開口部１５と補助扉１６間のシールは、冷蔵庫内の冷気漏れを防止するとともに、冷蔵庫外の熱が庫内側に伝達されることを抑制する上で、とても重要な役目を担う。
【００４４】
本例では図６に示すように、主扉１４にも適用している磁石付ガスケット３１で主扉開口部１５と補助扉１６間のシールを行うが、主扉開口部１５の形状が複雑であることから、材質は樹脂性から形成される為、磁石の吸着力がない。そこで、磁石部３１ａと当接する面には磁性部材が必要となる。しかし、磁石付ガスケット３１と当接する面に、直接、磁性部材を設けるとなると、部材の固定方法や、表面処理などの理由により、高価な構造となってしまう。そこで、今回は、主扉開口部１５の断熱材側全周に凹部１５ａを設け、磁石付ガスケット３１と当接する板厚を０．５〜１．０ｍｍ程度の薄肉にして、この凹部１５ａに磁性部材３２をアルミテープ等で固定することで、安価で、かつ、確実に冷気をシールできるのである。
【００４５】
次に、図７について説明する。図７は、補助扉回転軸側の周辺詳細図である。
【００４６】
１３は主扉１４用の支持部であり、３３は主扉１４用のクローザーである。３６  は補助扉１６側の支持部下面側にネジ３５等で固定された補助扉１６側のクローザーであり、３４ａは主扉エンドピース３４のクローザー３３の手前側に近接して設けられた凹部で、この凹部３４ａに補助扉１６側の支持部１８を固着している。この補助扉１６側のクローザー３６は、ユーザーの通常の使用状態では不要なものであるが、ユーザーの故意的な扉開閉や他扉を閉めた際に生ずる風圧により、補助扉１６が半開き状態になることを抑制することを目的としている。
【００４７】
次に図８について説明する。
図８は主扉の支持部側と補助扉の支持部側との関係を示す図である。正面から見て、補助扉の支持部側が主扉の支持部側と同じ側にある時は補助扉を開ける時に補助扉の把手が主扉の支持部側より略補助扉の巾分離れたところに位置するため主扉の支持部を起点とする回転モーメントが大きくなり、主扉の磁石等による吸着力が弱いと補助扉を開く力で補助扉が開く前に主扉が開くことがあった。
【００４８】
そこで本発明は主扉１４の中に補助扉１６を設ける時は主扉の支持部３０が右側の時は補助扉１６の支持部１８が補助扉の左側に設けるようにすると補助扉１６の把手部１９が右側に来て、主扉の支持部３０に略補助扉の巾分近づくので、補助扉１６を開けようとする時の力による主扉の支持部を起点とする回転モーメントは小さくなり、主扉に働く力は小さくなり主扉は開きにくくなるので、補助扉を開く時に、主扉を押さえていたり、又は開きかけた扉を閉めるなどの手間が不要となり、ユーザーの使い勝手がよくなる。
【００４９】
以上、本実施例の冷蔵庫によれば、回転式扉で開閉される冷凍室でありながら、その内部の収納容器を、補助扉の開扉動作に伴って引き出すことが出来るので、開扉後に更に収納容器を引き出すといった余分な動作が不要となると共に、補助扉の配置を主扉の回転軸側に近接させ、更に主扉の最下部に位置させているので、主扉の回転軸側に収納されている収納物も容易に取り出せて、しかも、適切な高さで収納物を取り出すことができる。
【００５０】
また、補助扉の開動作で引き出された収納容器を、更に前方に引き出せることにより、通常、取りだし難い奥側にある収納物も容易に取り出すことができるので使い勝手が良くなる。
【００５１】
また、主扉の一部に設けられた補助扉開口部と補助扉とが磁石付ガスケットで当接しているため、確実に冷蔵庫内の冷気漏れを防止すると共に、冷蔵庫外の熱が庫内側に伝達されることが抑制される。
【００５２】
また、補助扉の回転軸側下面にクローザーを備えているので、主扉を故意に開閉させた時や、他扉を閉めた時の負圧により、補助扉が半開き状態になることを抑制することができる。
【００５３】
更に、主扉の中に補助扉を設ける時に、補助扉の支持部を主扉の支持部の反対側にすることで、補助扉を開く時の主扉に発生する回転モーメントが小さくなり、主扉が開きにくくすることができる。
【図面の簡単な説明】
【００５４】
【図１】本発明の一実施例の形態に係る冷蔵庫の正面図である。
【図２】本実施例の冷蔵庫の冷凍室縦断面図である。
【図３】本実施例の冷蔵庫の補助扉閉時の係合部材周辺詳細図である。
【図４】本実施例の冷蔵庫の補助扉開時の係合部材周辺詳細図である。
【図５】本実施例の冷凍室補助扉の最大扉開時における平面図である。
【図６】補助扉側ガスケット周辺詳細図である。
【図７】補助扉の回転軸側周辺詳細図である。
【図８】本発明の一実施例の形態に係る補助扉の取付例である主扉の正面及び下面図である。
【図９】従来の冷蔵庫を示す図である。
【符号の説明】
【００５５】
１０…冷凍室、１１…冷蔵室、１２…冷凍室扉、１３…冷蔵室扉、１４…主扉、１５…補助扉開口部、１６…補助扉、１７…主扉把手部、１８…補助扉支持部、１９…補助扉把手部、２０…蒸発器、２１…蒸発器ファン、２２…冷却室、２３…自動製氷機、２３ａ…製氷皿、２３ｂ…機械部、２４…貯氷容器、２４ａ…前端丸部、２４ｂ…滑車、２５…貯氷容器受、２５ａ…底部前端凹部、２５ｂ案内リブ、２５ｃ…ストッパー、２６…係合部材、２６ａ…後方延設部、２６ｂ…係合ピン、２６ｃ…前端部、２６ｄ…段差部、２７…扉内側材、２８…固定具、２９…弾性部材、３０…支持部、３０ａストッパー、３１…磁石付きガスケット、３１ａ…磁石、３２…磁性部材、３３…主扉用クローザー、３４…エンドピース、３４ａ…凹部、３５…ネジ、３６…補助扉のクローザー。
【図１】
2005164177.tif 000003
【図２】
2005164177.tif 000004
【図３】
2005164177.tif 000005
【図４】
2005164177.tif 000006
【図５】
2005164177.tif 000007
【図６】
2005164177.tif 000008
【図７】
2005164177.tif 000009
【図８】
2005164177.tif 000010
【図９】
2005164177.tif 000011